(57)【要約】【課題】  本発明は、限られた観察条件下のみで潜像画像が視認できるものではなく、反射光下及び透過光下で観察した場合に潜像画像が異なることで、真偽判別と偽造防止効果に優れた特殊潜像画像形成体を提案する。【解決手段】  基材上に凹凸形状の万線を配置し、その上に有色の印刷万線を配置し、隣り合う凸形状の画線の間の凹部の一部に更に凹部を形成して基材との透過率を異ならせることで、基材に対して真上となる第１の観察角度から観察すると、可視画像が視認され、基材を傾けた第２の観察角度から観察すると、第１の潜像画像が視認され、第２の観察角度とは反対側へ基材を傾けた第３の観察角度から観察すると、第２の潜像画像が視認され、基材を透過光下で観察すると、第３の潜像画像が視認されることを特徴とする特殊潜像画像形成体である。【選択図】  図７
2014140985.tif 000002
【特許請求の範囲】
【請求項１】
基材の少なくとも一部に、凹凸形状の万線及び有色の万線から成る複数の画像を有する潜像画像形成領域を備え、
前記潜像画像形成領域には、第１の方向に万線状に形成された凸形状の第１の要素と、
前記第１の要素の凸形状の両側部に、有色の色材で形成された第３の要素を有し、
前記第１の要素の一方の側部に配置された前記第３の要素は、前記第１の要素とは異なる第１の色の第１の画像要素と、前記第１の要素及び前記第１の色とは異なる前記第２の色の第１の背景要素とに区分けされて配置され、
前記第１の要素の他方の側部に配置された前記第３の要素は、前記第２の色の第２の画像要素と、前記第１の色の第２の背景要素とに区分けされて配置され、
前記一方の側部の前記第３の要素が複数配置されたことにより、第１の潜像画像が形成され、
前記他方の側部の前記第３の要素が複数配置されたことにより、第２の潜像画像が形成され、
前記複数配置された隣り合う第１の要素の間の底面に、前記基材の透過率よりも高い透過率を有する凹形状の第２の要素が複数配置されて第３の潜像画像が形成され、
前記基材に対して真上となる第１の観察角度から観察すると、複数の第３の要素から成る可視画像が視認され、
前記基材を傾けた第２の観察角度から観察すると、前記第１の潜像画像が視認され、
前記第２の観察角度とは反対側へ前記基材を傾けた第３の観察角度から観察すると、前記第２の潜像画像が視認され、
前記基材を透過光下で観察すると前記第３の潜像画像が視認できることを特徴とする特殊潜像画像形成体。
【請求項２】
前記複数配置された第２の要素は、画素及び画線のいずれか又はそれらの組合せから成ることを特徴とする請求項１記載の特殊潜像画像形成体。
【請求項３】
前記複数配置された第２の要素は、深さ及び／又は面積率を異ならせることで階調のある前記第３の潜像画像が形成されていることを特徴とする請求項１又は請求項２記載の特殊潜像画像形成体。
【請求項４】
前記第２の要素が画線の場合、幅を異ならせることで階調を有する前記第３の潜像画像が形成されていることを特徴とする請求項２又は請求項３記載の特殊潜像画像形成体。
【発明の詳細な説明】
【技術分野】
【０００１】
本発明は、銀行券、株券、有価証券、通行券、パスポート、商品券、カード等の偽造防止が要求される貴重印刷物に適用される、特殊潜像画像形成体である。
【背景技術】
【０００２】
銀行券、株券、債券等の有価証券、カード、各種証明書及び重要書類等の貴重印刷物は、その性質上、偽造や改ざんされないことが要求される。その防止策としては、特殊インキによる印刷、ホログラム、スレッド、微小文字印刷、すき入れ等がある。
【０００３】
防止策の例としては、印刷又は基材の形状によって形成した凹凸形状を有する素材上に印刷画線を形成し、反射光下で傾けて観察した場合に凹凸形状から成る潜像画像が視認できる技術がある。
【０００４】
その中において、本出願人は、すき入れによる凸状万線と微細画線を組み合わせることで形成された印刷物を既に出願している。この印刷物は、基材上に凸状万線を付与し、凸状万線の両側部に各々第１の潜像画像又は第２の潜像画像を形成する微細画線を付与することで、三つの潜像画像が形成される。作製した印刷物は、基材を傾けると一方の側部に付与した微細画線から成る第１の潜像画像が視認され、基材を反対方向に傾けると他方の側部に付与した微細画線から成る第２の潜像画像が視認され、基材を正面から観察した場合は両側部に付与した微細画線から成る第１の潜像画像と第２の潜像画像の合成模様である第３の潜像画像が視認可能となる（例えば、特許文献１参照）。
【０００５】
また、偽造防止技術の一つとして、用紙繊維の粗密や薄厚によって模様を形成して透過光下で観察すると潜像が視認できるすき入れがある。
【０００６】
例えば、抄紙網上に感光性樹脂を使用して厚みが段階的に変化した模様型を形成した模様網を、円網抄紙機の円網シリンダーまたは長網抄紙機のダンディロールに取り付け、この円網抄紙機または長網抄紙機を使用して製造した透き入れ紙がある（例えば、特許文献２参照）。
【先行技術文献】
【特許文献】
【０００７】
【特許文献１】特許第５０２４８０１号公報
【特許文献２】特許第３１９８４８８号公報
【発明の概要】
【発明が解決しようとする課題】
【０００８】
しかしながら、特許文献１の発明は、印刷又は基材の形状によって形成した凹凸形状を有する素材上に印刷画線を形成し、反射光下で傾けて観察した場合に凹凸形状から成る潜像画像が視認できる技術であるが、前述の貴重印刷物として流通する過程において、凸形状部や印刷画線の摩耗によって潜像視認性が低下してしまうという問題があった。そこで、凹凸形状を用いた偽造防止技術と同じ領域に、別の真偽判別が容易に行えるもう一つの方法が求められている。
【０００９】
また、特許文献２の発明は、連続的に階調が変化した模様を抄造工程ですき入れる技術であって、すき入れは用紙メーカでなければその製造が困難であるため複製防止技術としては有効である。しかし、一般的にすき入れは、透過光下で観察すると潜像が視認できるものであって、反射光下で観察すると潜像は視認できないが、その存在自体は認識されてしまうという問題があった。
【００１０】
本発明は、前述した課題の解決を目的とするものであり、限られた観察条件下のみで潜像画像が視認できるものではなく、反射光下で傾けて観察した場合及び透過光下で観察した場合に潜像画像が視認でき、さらに、透過光下と反射光下との観察では視認できる潜像画像が異なることで、真偽判別と偽造防止効果に優れた特殊潜像画像形成体を提案することを目的とする。
【課題を解決するための手段】
【００１１】
本発明は、基材の少なくとも一部に、凹凸形状の万線及び有色の万線から成る複数の画像を有する潜像画像形成領域を備え、潜像画像形成領域には、第１の方向に万線状に形成された凸形状の第１の要素と、第１の要素の凸形状の両側部に、有色の色材で形成された第３の要素を有し、第１の要素の一方の側部に配置された第３の要素は、第１の要素とは異なる第１の色の第１の画像要素と、第１の要素及び第１の色とは異なる第２の色の第１の背景要素とに区分けされて配置され、第１の要素の他方の側部に配置された第３の要素は、第２の色の第２の画像要素と、第１の色の第２の背景要素とに区分けされて配置され、  一方の側部の第３の要素が複数配置されたことにより、第１の潜像画像が形成され、他方の側部の第３の要素が複数配置されたことにより、第２の潜像画像が形成され、複数配置された隣り合う第１の要素の間の底面に、基材の透過率よりも高い透過率を有する凹形状の第２の要素が複数配置されて第３の潜像画像が形成され、基材に対して真上となる第１の観察角度から観察すると、複数の第３の要素から成る可視画像が視認され、基材を傾けた第２の観察角度から観察すると、第１の潜像画像が視認され、第２の観察角度とは反対側へ基材を傾けた第３の観察角度から観察すると、第２の潜像画像が視認され、基材を透過光下で観察すると第３の潜像画像が視認できることを特徴とする特殊潜像画像形成体である。
【００１２】
また、本発明の特殊潜像画像形成体における複数配置された第２の要素は、画素及び画線のいずれか又はそれらの組合せから成ることを特徴とする。
【００１３】
また、本発明の特殊潜像画像形成体における複数配置された第２の要素は、深さ及び／又は面積率を異ならせることで階調のある第３の潜像画像が形成されていることを特徴とする。
【００１４】
また、本発明の特殊潜像画像形成体における第２の要素が画線の場合、幅を異ならせることで階調を有する第３の潜像画像が形成されていることを特徴とする。
【発明の効果】
【００１５】
本発明の特殊潜像画像形成体は、凹凸形状を用いた潜像模様形成体と同じ領域にある凸形状と凸形状の間の底面に、基材よりも透過率の高い凹部を施してすき入れ潜像画像を形成したことで、反射光下で特殊潜像画像形成体を傾けて観察した場合に潜像画像が視認でき、さらに、透過光下で垂直方向から観察した場合に反射光下とは異なるすき入れ潜像画像が視認できるため偽造防止効果に優れる。また、貴重印刷物として流通する過程において、凸形状部や印刷画線が摩耗した場合でも、同じ領域において透過光下ですき入れ潜像画像を視認することで真偽判別が行える。
【００１６】
また、本発明の特殊潜像画像形成体は、凹凸形状を用いた潜像模様形成体の底面に、基材よりも透過率の高い複数の凹部を施しているため、凹凸形状と印刷画線によってすき入れ自体の存在が、反射光下の観察では分かりづらく、単純な万線模様が形成されているようにしか視認できないため、反射光下の観察におけるすき入れ潜像画像の隠蔽性にも優れている。
【図面の簡単な説明】
【００１７】
【図１】本発明における特殊潜像画像形成体の一例を示す図である。
【図２】本発明において視認可能な各画像を説明するための図である。
【図３】第１の要素の構成例を示す図である。
【図４】第１の要素の別の配列を示す図である。
【図５】第１の要素の配置例を示す図である。
【図６】第１の要素の形状の例を示す図である。
【図７】第２の模様及び第２の要素を説明するための図である。
【図８】第２の要素を説明するための拡大図である。
【図９】第２の要素の形状の例を示す図である。
【図１０】第２の要素の別の形状の例を示す図である。
【図１１】第２の要素の面積率を異ならせて階調を表した例を示す図である。
【図１２】第２の要素の深さを異ならせて階調を表した例を示す図である。
【図１３】透過背景部に第２の要素を設けて第２の潜像画像をネガ画像で形成した一例を示す図である。
【図１４】第１の潜像画像を説明するための構成図である。
【図１５】第２の潜像画像を説明するための構成図である。
【図１６】可視画像を説明するための構成図である。
【図１７】第３の要素の形状の例を示す図である。
【図１８】特殊潜像画像形成体が付与された基材を観察した際の各視点を示す図である。
【図１９】第１の観察角度（Ｅ１）から観察した際の平面図及び断面図である。
【図２０】第２の観察角度（Ｅ２）から観察した際の平面図及び断面図である。
【図２１】第３の観察角度（Ｅ３）から観察した際の平面図及び断面図である。
【図２２】第４の観察角度（Ｅ４）から観察した際の平面図及び断面図である。
【発明を実施するための形態】
【００１８】
本発明を実施するための形態について、図面を用いて説明する。しかしながら、本発明は、以下に述べる実施するための形態に限定されるものではなく、特許請求の範囲記載における技術的思想の範囲内であれば、その他いろいろな実施の形態が含まれる。
【００１９】
図１は、本発明における特殊潜像画像形成体（１）（以下、「形成体」という。）が付与された偽造防止印刷物（Ｓ）（以下、「印刷物」という。）を示す平面図である。印刷物（Ｓ）は一例として、商品券としている。
【００２０】
印刷物（Ｓ）は、紙、プラスチックカード等の印刷可能な基材（２）上に、店舗名、券種等の印刷物（Ｓ）に関する情報が、シアン、マゼンタ等の一般的に用いられるインキにより付与されている。印刷物（Ｓ）は、基材（２）上における少なくとも一部に、潜像画像形成領域（Ｚ）（以下、「領域」という。）を備えている。領域（Ｚ）内には、形成体（１）が配置されており、形成体（１）は、複数の画像を有している。
【００２１】
図２は、形成体（１）が有する複数の画像を示す平面図である。形成体（１）は、図２（ａ）に示す第１の模様部（３ａ）及び第１の背景部（３ｂ）から成る可視画像（３）と、図２（ｂ）に示す第２の模様部（４ａ）及び第２の背景部（４ｂ）から成る第１の潜像画像（４）と、図２（ｃ）に示す第３の模様部（５ａ）及び第３の背景部（５ｂ）から成る第２の潜像画像（５）と、図２（ｄ）に示す第３の潜像画像（６）とを有する。
【００２２】
可視画像（３）は、基材（２）に対して真上から観察した場合に視認可能となる画像であり、第１の潜像画像（４）は、基材（２）を傾けて観察した場合に視認可能となる画像である。また、第２の潜像画像（５）は、基材（２）を第１の潜像画像（４）を視認する時とは反対側へ傾けて観察した場合に視認可能となる画像であり、第３の潜像画像（６）は、基材（２）を透過光下で観察した場合に視認可能となるすかし模様である。
【００２３】
形成体（１）が有する各画像（３、４、５、６）は、それぞれ印刷要素や、基材（２）に凹凸形状を付与することで形成された要素等、異なる要素により構成されている。以下、形成体（１）を構成する各要素について、詳細に説明する。
【００２４】
図３は、凸形状の要素である第１の要素（７）を示す平面図（図３（ａ））及び断面図（図３（ｂ））である。図３（ａ）に示すように、基材（２）の少なくとも一部に備えた領域（Ｚ）内に、一部拡大図に示すような第１の要素（７）が複数形成されている。
【００２５】
図３（ｂ）は、図３（ａ）のＡ−Ａ’断面図である。図３（ｂ）に示すように、凸形状の第１の要素（７）は、第１の方向（Ｘ１）に第１のピッチ（Ｐ１）で複数形成されている。複数の第１の要素（７）は、各々が第１の側部（７Ｌ）、第２の側部（７Ｒ）及び頂上部（７Ｔ）を有している。また、複数配置された隣り合う第１の要素（７）の間には底面（１０）を有している。
【００２６】
第１の要素（７）を配置する第１のピッチ（Ｐ１）は、印刷方式、用いる基材（２）及び後述する第１の要素（７）上に印刷する第３の要素（９）の画線幅を考慮し、４００〜１８００μｍの範囲内で適宜設定が可能である。
【００２７】
第１のピッチ（Ｐ１）が４００μｍ未満である場合には、第１の要素（７）上に第３の要素（９）を印刷する際に必要な面積が充分に得られないことにより、第３の要素（９）の画線幅が細くなり、可視画像（３）、第１の潜像画像（４）及び第２の潜像画像（５）の視認性が低下し、好ましくない。
【００２８】
反対に、第１のピッチ（Ｐ１）が１８００μｍ以上である場合には、第１の要素（７）上に印刷する第３の要素（９）の一つ一つを肉眼で識別することが可能となり、各画像（３、４、５、６）を視認した場合にノイズが発生し、好ましくない。なお、図３（ａ）では、第１のピッチ（Ｐ１）を一定ピッチで図示しているが、前述した４００〜１８００μｍの範囲内であれば、一部異なるピッチとすることも可能である。
【００２９】
なお、第１の要素（７）を、全て同じ規則的なピッチである第１のピッチ（Ｐ１）で配置した場合について説明したが、複数の第１の要素（７）においては、ランダムなピッチとすることも可能である。
【００３０】
図４は、第１の要素（７）を第１の方向（Ｘ１）に配置した他の形態を示す平面図及び断面図である。図４（ａ）の一部拡大図に示すように、第１の要素（７）は、第１の方向（Ｘ１）に、ランダムなピッチ（ＰＬ）で配置されている。図４（ｂ）は、図４（ａ）におけるＡ−Ａ’断面図である。ランダムなピッチ（ＰＬ）で配置する場合には、その一つ一つのピッチは、前述した第１のピッチ（Ｐ１）の範囲と同様に、４００〜１８００μｍの範囲内で適宜設定することが可能である。また、ピッチ（ＰＬ）を、４００〜１８００μｍの範囲内とする理由については、前述した第１のピッチ（Ｐ１）と同様であることから説明を省略する。以下、本実施の形態においては、第１の要素（７）は第１のピッチ（Ｐ１）で形成してあるとして説明する。
【００３１】
第１の要素（７）の幅（Ｗ１）は、第１のピッチ（Ｐ１）及び後述する第３の要素（９）の幅を考慮し、０．１〜１．０ｍｍの範囲内で適宜設定される。第１の要素（７）の幅（Ｗ１）を０．１ｍｍ未満とした場合、第１の要素（７）上に第３の要素（９）を印刷しづらい為、好ましくない。
【００３２】
また、第１の要素（７）の幅（Ｗ１）を１．０ｍｍより広くした場合には、印刷物（Ｓ）を傾けた際に第１の潜像画像（４）及び第２の潜像画像（５）を明瞭に視認することが困難となり好ましくない。
【００３３】
第１の要素（７）の高さ（ｈ１）は、第１のピッチ（Ｐ１）及び後述する第３の要素（９）の幅を考慮し、３０μｍ〜７０μｍの範囲内で適宜設定することが可能である。高さ（ｈ１）を３０μｍ未満とした場合、印刷物（Ｓ）を傾けた際に第１の潜像画像（４）及び第２の潜像画像（５）を明瞭に視認することが困難となり好ましくない。
【００３４】
また、第１の要素（７）の高さ（ｈ１）を７０μｍより高くした場合には、第１の要素（７）上に第３の要素（９）を印刷しづらくなり、好ましくない。
【００３５】
なお、第１の要素（７）は直線状としているが、直線状に限らず第１の要素（７）上に第３の要素（９）を印刷可能であれば波線状、破線状等とすることが可能である。
【００３６】
また、第１の要素（７）を複数集合させて形成される形状は、領域（Ｚ）内に形成可能であれば、図５に示す各種形状とすることが可能であることは、言うまでも無い。
【００３７】
さらに、第１の要素（７）の断面形状は、前述した図３のＡ−Ａ’断面図に示す形状に限らず、第１の要素（７）上に、後述する印刷要素である第３の要素（９）を形成することが可能であり、かつ、隣り合う第１の要素（７）の間に後述する透過画像を形成する第２の要素（８）を形成することが可能であれば、図６に示す、各種の断面形状とすることが可能である。なお、図６は、前述した図３と同様に、基材（２）を第１の方向（Ｘ１）に対して平行に切断した断面図である。
【００３８】
次に、透過光下で観察した場合に視認可能となるすかし模様である第３の潜像画像（６）について説明する。第３の潜像画像（６）は、図７（ａ）に示すように、凸形状の複数の第１の要素（７）において、隣り合う第１の要素（７）同士の間の底面（１０）に、複数の凹形状の第２の要素（８）で形成されている。第３の潜像画像（６）は、透過潜像部（１４）と、その透過背景部（１５）から成り、第３の潜像画像（６）が文字の「ＮＰＢ」と視認できるように配置されている。
【００３９】
なお、図７（ａ）については、発明を詳細に説明する為に、第３の潜像画像（６）である「ＮＰＢ」の一文字である「Ｎ」を第３の潜像画像（６）として図示しているが、実際には図２、図３及び図４において前述のとおり、第３の潜像画像（６）は、文字「ＮＰＢ」である。以下、本実施形態においては、第３の潜像画像（６）である「ＮＰＢ」の一文字である「Ｎ」を第３の潜像画像（６）として図示している場合においても、文字「ＮＰＢ」のことを表しているとして説明する。
【００４０】
図７（ｂ）は、図７（ａ）のＢ−Ｂ’線の断面図である。本発明において、「透過潜像部（１４）」とは、凸形状の複数の第１の要素（７）の間の底面（１０）に配置された第２の要素（８）によって構成した第３の潜像画像（６）である。また、「透過背景部（１５）」とは、透過潜像部（１４）に対して背景となる部分である。つまり、図７（ａ）に示すように第３の潜像画像（６）は、透過潜像部（１４）と透過背景部（１５）との区分けにより表示されている。
【００４１】
図７（ａ）では、第３の潜像画像（６）の文字の「ＮＰＢ」を形成するために、透過潜像部（１４）に第２の要素（８）を配置して形成しているが、これとは逆に、透過背景部（１５）へ第２の要素（８）を配置し、透過潜像部（１４）には第２の要素（８）を配置しない、所謂、ネガポジの関係となる配置にすることも可能である。この第３の潜像画像（６）についての詳細は後述する。
【００４２】
なお、第３の潜像画像（６）は、図７（ａ）に示す「ＮＰＢ」の文字に限定されず、数字、記号、図形、マーク等で形成されても良い。
【００４３】
第３の潜像画像（６）は、図７（ａ）のＢ−Ｂ’線の断面図である図７（ｂ）に示すように、隣り合う第１の要素（７）の凸形状間の底面（１０）に、凹形状の第２の要素（８）で形成する。形成方法としては、すき入れ、レーザ加工によって形成することができる。
【００４４】
図８（ａ）は、図７（ａ）の領域（Ｖ）の拡大図である。図８（ｂ）は、図８（ａ）のＣ−Ｃ’線の断面図である。図８（ｂ）では、隣り合う第１の要素（７）の凸形状間の底面（１０）に、凹形状の第２の要素（８）が形成されていることを、第１の要素（７）の高さ（ｈ１）と第２の要素（８）の深さ（ｈ２）で示している。
【００４５】
図８（ａ）に示すように、第２の要素（８）における第１の方向（Ｘ１）の幅を第２の要素の幅（Ｗ２）とする。第２の要素の幅（Ｗ２）は、第１のピッチ（Ｐ１）から第１の要素の幅（Ｗ１）を引いた幅である第１の要素（７）の間の底面距離（Ｕ１）より狭ければ、特に制限を受けるものではない。例えば、第１のピッチ（Ｐ１）が１０００μｍ、第１の要素の幅（Ｗ１）が４００μｍであった場合、第２の要素の幅（Ｗ２）は６００μｍより狭いものであれば良い。
【００４６】
第２の要素（８）の深さ（ｈ２）の範囲については、基材（２）を貫通することがなければ特に制限はない。第２の要素（８）は、基材（２）の厚みが最も薄いため、透過光で観察した場合に、最も明るく見えることから第３の潜像画像（６）を文字の「ＮＰＢ」として視認することができる。
【００４７】
第２の要素（８）は、図７（ａ）に示したように全て同一形状、同一面積、同一ピッチ及び同一密度で配置しても良い。この時、第３の潜像画像（６）は、単一な明暗を持つ画像として視認される。
【００４８】
第２の要素（８）は図９（ａ）に示すような円形に限定されるものではなく、図９（ｂ）や図９（ｃ）に示すように楕円形状や画線形状、その他、図１０に示すような画素、またはこれらの組合せであっても良い。
【００４９】
また、第２の要素（８）は、面積率を異ならせること及び深さを異ならせることで、第３の潜像画像（６）の明るさに明暗の階調を持たせた第３の潜像画像（６）を表現することができる。
【００５０】
面積率を異ならせることで階調を表現する例として、第３の潜像画像（６）である「ＮＰＢ」に階調表現を施したときの平面図である図１１（ａ）と、その拡大図として図１１（ｂ）から図１１（ｄ）を用いて説明する。
【００５１】
図１１（ａ）の第３の潜像画像（６）である「ＮＰＢ」は、透過光下で観察すると、図１１（ｂ）に示すように、第２の要素（８）の面積が小さい領域では、透過潜像部（１４）に占める第２の要素（８）の割合が少ないため透過光量が少なく、第１の方向（Ｘ１）に向かう程、第２の要素（８）の面積が大きくなるため、透過光量が多くなることから明るさの明暗による階調画像を形成している。
【００５２】
また、透過潜像部（１４）における第２の要素（８）の面積率を異ならせて第３の潜像画像（６）に明暗の階調を持たせる別の方法としては、図１１（ｃ）に示すように、同じ大きさの第２の要素（８）の単位面積当たりの数を増減すること、又は、複数種類の大きさや形状の異なる第２の要素（８）の単位面積当たりの数を増減することにより、第２の要素（８）の粗密を作り、明るさの階調画像を形成しても良い。
【００５３】
さらに、第３の潜像画像（６）に明暗の階調を持たせる別の方法としては、図１１（ｄ）に示すように、第２の要素（８）が画線である場合、画線数を増減すること、または一つの画線において幅を異ならせることにより、第２の要素（８）の粗密や面積を異ならせることで、明るさの階調画像を形成しても良い。
【００５４】
第２の要素（８）の深さを異ならせることで第３の潜像画像（６）に明暗の階調を持たせる例としては、第３の潜像画像（６）である「ＮＰＢ」に階調表現を施したときの平面図である図１２（ａ）と、その破線Ｄ−Ｄ’の断面図である図１２（ｂ）を用いて説明する。
【００５５】
図１２（ａ）の第３の潜像画像（６）である「ＮＰＢ」は、透過光下で観察すると、図１２（ｂ）に示すように、透過潜像部（１４）における第２の要素（８）の深さ（ｈ２）が浅い領域では基材の厚みがあるため透過光量が少ないが、第１の方向（Ｘ’１）に向かう程、深さ（ｈ’２）が深く基材の厚みが薄くなるため透過光量が多くなることを利用し、明るさの明暗による階調画像を形成している。
【００５６】
すなわち、第２の要素（８）の深さ（ｈ２）の範囲については、基材（２）を貫通することがなければ特に制限はなく、明るさに明暗の階調を持たせた第３の潜像画像（６）を形成することができる。
【００５７】
また、前述したように、第２の要素（８）を用いて第３の潜像画像（６）を形成する別の方法として、ネガ画像として表現する方法がある。
【００５８】
図１３（ａ）は、透過背景部（１５）に第２の要素（８）を設けて第３の潜像画像（６）をネガ画像で形成した一例を示す図である。
【００５９】
図１２までの図面では、透過潜像部（１４）に第２の要素（８）を設けることで、透過光下で観察したときに、透過潜像部（１４）が透過背景部（１５）より明るく見えることから、第３の潜像画像（６）が「ＮＰＢ」のポジ画像として視認できる。
【００６０】
また、図１３（ａ）の領域（Ｖ’）の拡大図である図１３（ｂ）に示すように、透過背景部（１５）に第２の要素（８）を設けることで、透過光下で観察したときに、透過背景部（１５）が第３の潜像画像（６）として明るく見えることから、透過潜像部（１４）が暗く見え、「ＮＰＢ」のネガ画像として視認できる。以上のとおり、本発明における第３の潜像画像（６）は、ポジ画像状態で形成してもよく、また、ネガ画像状態で形成しても良い。
【００６１】
次に、傾けて視認可能となる潜像画像を形成する、第３の要素（９）について説明する。図１４（ａ）は、基材（２）を傾けることで視認可能となる第１の潜像画像（４）を示す平面図であり、図１４（ｂ）は、図１４（ａ）に黒枠で示す領域を拡大した模式図である。なお、図１４（ｂ）において、実際は、第１の要素（７）の両側部（７Ｌ、７Ｒ）に第３の要素（９）が配置されているが省略している。
【００６２】
図１４（ｂ）に示すように、第１の側部（７Ｌ）に配置された第３の要素（９）は、第１の画像要素（９ａ１）及び第１の背景要素（９ｂ１）から成る。第１の画像要素（９ａ１）は、基材（２）とは異なる色の第１の色であり、第１の背景要素（９ｂ１）は、基材（２）及び第１の色とは異なる色の第２の色である。第１の画像要素（９ａ１）は、第１の色の第１の色材から成り、第１の背景要素（９ｂ１）は、第２の色の第２の色材から成る。このように、第１の潜像画像（４）を形成する第３の要素（９）は、基材（２）とは異なる第１の色及び第２の色により第１の画像要素（９ａ１）と第１の背景要素（９ｂ１）に区分けされる。
【００６３】
第１の画像要素（９ａ１）と第１の背景要素（９ｂ１）が基材（２）と同じ色である場合、基材（２）上に印刷した第３の要素（９）を、肉眼で区別して視認することができない。よって、
第１の画像要素（９ａ１）及び第１の背景要素（９ｂ１）は基材（２）とは異なる色の色材で形成する。
【００６４】
本発明における異なる色とは、同じ色相で濃度が異なる色としてもよく、例えば、第１の画像要素（９ａ１）を形成する色材を淡い赤色とし、第１の背景要素（９ｂ１）を形成する色材を濃い赤色とすることも可能である。
【００６５】
なお、本発明において、後述する第２の潜像画像（５）を形成する色材についても、それぞれの色材の色が同じ色又は異なる色として視認される際の定義については、第１の画像要素（９ａ１）と第１の背景要素（９ｂ１）の色の関係と同様であることから、以下説明を省略する。
【００６６】
第１の画像要素（９ａ１）が複数配置されることで、図１４（ａ）に示す第１の潜像画像（４）における第２の模様部（４ａ）が形成される。また、第１の背景要素（９ｂ１）が複数配置されることで、図１４（ａ）に示す第１の潜像画像（４）における第２の背景部（４ｂ）が形成される。
【００６７】
次に、第２の潜像画像（５）について説明する。図１５（ａ）は、基材（２）を傾けることで視認可能となる第２の潜像画像（５）を示す平面図であり、図１５（ｂ）は、図１５（ａ）に黒枠で示す領域を拡大した模式図である。なお、図１５（ｂ）と、前述した図１４（ｂ）は、同一の第１の要素（７）の一つを拡大した模式図である。また、図１５（ｂ）において、実際は、第１の要素（７）の両側部（７Ｌ、７Ｒ）に第３の要素（９）が配置されているが省略している。
【００６８】
図１５（ｂ）に示すように、第２の側部（７Ｒ）に配置された第３の要素（９）は、第２の画像要素（９ａ２）及び第２の背景要素（９ｂ２）から成る。第２の画像要素（９ａ２）は、第２の色であり、第２の背景要素（９ｂ２）は、第１の色である。第２の画像要素（９ａ２）は、第２の色材から成り、第２の背景要素（９ｂ２）は、第１の色材から成る。このように、第２の潜像画像（５）を形成する第３の要素（９）は、基材（２）とは異なる第１の色及び第２の色により第２の画像要素（９ａ２）と第２の背景要素（９ｂ２）に区分けされる。
【００６９】
第２の画像要素（９ａ２）が複数配置されることで、図１５（ａ）に示す第２の潜像画像（５）における第３の模様部（５ａ）が形成される。また、第２の背景要素（９ｂ２）が複数配置されることで、図１５（ａ）に示す第２の潜像画像（５）における第３の背景部（５ｂ）が形成される。
【００７０】
次に、可視画像（３）について説明する。図１６（ａ）は、可視画像（３）を示す平面図であり、図１６（ｂ）は、図１６（ａ）に示す黒枠で領域を拡大した模式図である。なお、図１６（ｂ）と、前述した図１４（ｂ）及び図１５（ｂ）は、同一の第１の要素（７）の一つを拡大した模式図である。可視画像（３）は、第１の側部（７Ｌ）及び第２の側部（７Ｒ）に配置したすべての第３の要素（９）から成る。つまり、可視画像（３）は、第１の側部（７Ｌ）に配置した第３の要素（９）から成る第１の潜像画像（４）と、第２の側部（７Ｒ）に配置した第３の要素（９）から成る第２の潜像画像（５）の合成画像である。
【００７１】
なお、第１の要素（７）上に配置した第３の要素（９）の他の構成並びに配置については、本出願人が先に出願した特開２０１２−６１６８号、特開２０１２−６１６９号、特願２０１０−２６７２１９号及び特願２０１０−２６７２１９号に記載された構成及び配置とすることが可能である。したがってここでの説明は省略する。
【００７２】
本発明において第３の要素（９）とは、画線や、複数の点が同一方向に配置された網点群又は複数の画素が同一方向に配置された画素群のことである。図１７は、本発明における第３の要素（９）の一例を示す図である。画線とは、図１７（ａ）に示す直線、図１７（ｂ）に示す破線、図１７（ｃ）に示す波線、図１７（ｄ）に示す破線状の波線である。画線幅は、一般的に６０〜２００μｍが用いられる。網点とは、網目スクリーン、コンタクトスクリーン等により、印刷物上に構成された点である。
【００７３】
画素とは、図形、文字等の二次元画像を縦横の線で分割し、分割した最小単位のことである。網点及び画素は、直線状又は波線状に複数配置されて、画線状に構成される。画素は、図１７（ｅ）に示す円形状、図１７（ｆ）に示す楕円形状、図１７（ｇ）に示す三角形状とする。さらに画素は、図１７（ｇ）に示すように、回転させて配列しても良く、また、図１７（ｈ）に示すように文字形状としてもよい。さらに、図１７（ｉ）及び図１７（ｊ）に示すように、一つの要素内において、画線、網点又は画素の少なくとも二種類以上を組み合わせて同一方向に配置しても良い。
【００７４】
次に、前述した各画像を視認するための観察角度について説明する。図１８は、形成体（１）が付与された基材（２）を観察した際の視点（Ｅ１、Ｅ２、Ｅ３、Ｅ４）を示す図である。なお、第１の要素（７）は、基材（２）上における第１の方向（Ｘ１）に配置されている。
【００７５】
本発明においては、基材（２）に対して、視点が（Ｅ１）に示す位置関係にあるとき、第１の観察角度（Ｅ１）から観察したとし、視点が（Ｅ２）に示す位置関係にあるとき、第２の観察角度（Ｅ２）から観察したとし、視点が（Ｅ３）に示す位置関係にあるとき、第３の観察角度（Ｅ３）から観察したとし、視点が基材（２）に対して（Ｅ４）に示す位置関係であり、かつ、透過光下で観察した場合、第４の観察角度（Ｅ４）で観察したとする。
【００７６】
次に、形成体（１）を各観察角度（Ｅ１、Ｅ２、Ｅ３、Ｅ４）から観察した際の、視認原理について説明する。図１９は、形成体（１）を、第１の観察角度（Ｅ１）から観察した際の平面図及び断面図である。なお、図１９においては、前述した図７に示した複数の第２の要素（８）から成る第３の潜像画像（６）が付与されている。
【００７７】
図１９に示すように、基材（２）を第１の観察角度（Ｅ１）から観察した際には、第１の要素（７）における両側部（７Ｌ、７Ｒ）は、いずれも隣り合う第１の要素（７）の影となることなく視認可能である。よって、複数の第３の要素（９）から成る可視画像（３）が視認される。
【００７８】
図２０は、形成体（１）を、第２の観察角度（Ｅ２）から観察した際の平面図及び断面図である。図２０に示すように、基材（２）を第２の観察角度（Ｅ２）から観察した際には、第１の要素（７）における第１の側部（７Ｌ）は、隣り合う第１の要素（７）の影となることなく視認可能である。一方、第２の側部（７Ｒ）は、隣り合う第１の要素（７）の影となり視認することができない。
【００７９】
よって、基材（２）を第２の観察角度（Ｅ２）から観察した際には、第１の側部（７Ｌ）に配置された第３の要素（９）のみが視認可能となり、複数の第１の画像要素（９ａ１）から成る第２の模様部（４ａ）と、複数の第１の背景要素（９ｂ１）から成る第２の背景部（４ｂ）とで構成された第１の潜像画像（４）が視認される。なお、第１の潜像画像（４）は、第２の模様部（４ａ）が第１の色で視認され、第２の背景部（４ｂ）が第２の色で視認される。
【００８０】
図２１は、形成体（１）を、第３の観察角度（Ｅ３）から観察した際の平面図及び断面図である。図２１に示すように、基材（２）を第３の観察角度（Ｅ３）から観察した際には、第１の要素（７）における第２の側部（７Ｒ）は、隣り合う第１の要素（７）の影となることなく視認可能である。一方、第１の側部（７Ｌ）は、隣り合う第１の要素（７）の影となり視認することができない。
【００８１】
よって、基材（２）を第３の観察角度（Ｅ３）から観察した際には、第２の側部（７Ｒ）に配置された第３の要素（９）のみが視認可能となり、複数の第２の画像要素（９ａ２）から成る第３の模様部（５ａ）と、複数の第２の背景要素（９ｂ２）から成る第３の背景部（５ｂ）とで構成された第２の潜像画像（５）が視認される。なお、第２の潜像画像（５）は、第３の模様部（５ａ）が第２の色で視認され、第３の背景部（５ｂ）が第１の色で視認される。
【００８２】
なお、形成体（１）には、透過画像である第３の潜像画像（６）が形成されているが、反射光下における第１の観察角度（Ｅ１）、第２の観察角度（Ｅ２）及び第３の観察角度（Ｅ３）から視認した際には、いずれも、可視画像（３）、第１の潜像画像（４）及び第２の潜像画像（５）が主体的に視認されることから、第３の潜像画像（６）の存在は認識されない。
【００８３】
図２２は、形成体（１）を、第４の観察角度（Ｅ４）から観察した際の平面図及び断面図である。前述のとおり、図２２における第３の潜像画像（６）は、複数の第２の要素（８）により形成されている。図２２に示すように、第２の要素（８）と底面（１０）は、深さが異なる。よって、基材（２）を第４の観察角度（Ｅ４）から観察した際には、第２の要素（８）は、基材（２）及び底面（１０）より透過率が高くなり、基材（２）、第１の要素（７）及び底面（１０）と比べ、明るく視認される。よって、複数の第２の要素（８）により形成された第３の潜像画像（６）が透過画像として視認される。
【００８４】
なお、第１の要素（７）及び底面（１０）をエンボス加工により形成した場合には、第１の要素（７）と底面（１０）は、同じ透過率となる。よって、第４の観察角度（Ｅ４）から観察した場合には、基材（２）、第１の要素（７）及び底面（１０）は同じ明るさで視認され、第３の潜像画像（６）は、基材（２）、第１の要素（７）及び底面（１０）よりも明るく視認される。
【００８５】
一方、第１の要素（７）及び底面（１０）をすき入れ又はレーザ加工により形成した場合には、第１の要素（７）と底面（１０）は、異なる透過率となる。よって、第４の観察角度（Ｅ４）から観察した場合には、基材（２）、第１の要素（７）及び底面（１０）は異なる明るさで視認される。例えば、図２２に示す形成体（１）において、第１の要素（７）及び底面（１０）をすき入れにより形成した場合には、底面（１０）は、第１の要素（７）と比べ基材（２）が薄いことから透過率が高くなる。よって、第１の要素（７）が暗く視認され、底面（１０）が明るく視認される。
【００８６】
なお、説明を簡潔にするため、複数の第３の要素（９）において図示しないが、実際には第４の観察角度（Ｅ４）である透過光下で観察した場合は、前述した可視画像（３）内に第３の潜像画像（６）が視認される。
【実施例１】
【００８７】
以下、実施例１を用いて本発明を更に具体的に説明するが、本発明を限定するものではない。実施例１として、図１に示した形成体（１）を作製した。基材（２）は、坪量８３ｇ／ｍ２、紙厚８５μｍとし、公知の抄紙機を用いて形成した。また、基材（２）の色は、不透明度を８０％（ＪＩＳ−Ｐ８１４９）にするため顔料及び添量を適宜加えて卵黄色とした。
【００８８】
第１の要素（７）は、幅（Ｗ１）３００μｍ、高さ（ｈ１）５０μｍの直線状であり、第１のピッチ（Ｐ１）を５００μｍとして形成した。
【００８９】
第２の要素（８）及び底面（１０）の幅（Ｗ２）は、いずれも２００μｍの直線状とした。また、第２の要素（８）の厚さは２０μｍ（デジタルリニアゲージ  ＤＧ−９２５  小野測器製）とし、底面（１０）の厚さは４０μｍ（デジタルリニアゲージ  ＤＧ−９２５  小野測器製）とした。
【００９０】
第２の要素（８）は、不透明度が６０％（ＪＩＳ−Ｐ８１４９）であり、基材（２）、第１の要素（７）及び底面（１０）と比べ、透過率を高く形成した。
【００９１】
第１の要素（７）、第２の要素（８）及び底面（１０）は、公知の長網抄紙機を用いて基材（２）を製造する工程において、公知のすき入れ方法により、形成した。
【００９２】
第３の要素（９）は、図１３及び図１４に示した１３０μｍの一定幅の画線として形成した。また、第１の画像要素（９ａ１）及び第２の背景要素（９ｂ２）は、オフセットインキ（Ｔ＆Ｋ  ＴＯＫＡ製  ベストキュア  藍）を用いて印刷し、第１の背景要素（９ｂ１）及び第２の画像要素（９ａ２）は、オフセットインキ（Ｔ＆Ｋ  ＴＯＫＡ製  ベストキュア  紅）を用いて印刷した。なお、第３の要素（９）は、オフセット印刷機（下垣鉄工所製  ＥＰ―６０）により第１の要素（７）上に印刷することで形成した。
【００９３】
実施例１にて作製した形成体（１）を、第１の観察角度（Ｅ１）から肉眼で観察したところ、可視画像（３）が視認できた。次に、形成体（１）を、第２の観察角度（Ｅ２）から観察したところ、第１の潜像画像（４）における、第２の模様部（４ａ）がシアン色で視認でき、第２の背景部（４ｂ）がマゼンタ色で視認できた。次に、形成体（１）を第３の観察角度（Ｅ３）から観察したところ、第２の潜像画像（５）における第３の模様部（５ａ）が、マゼンタ色で視認でき、第３の背景部（５ｂ）がシアン色で視認できた。さらに、形成体（１）を、第４の観察角度（Ｅ４）である透過光下で観察したところ、「ＮＰＢ」の文字形状の第３の潜像画像（６）が透過画像として視認できた。
【符号の説明】
【００９４】
１        特殊潜像画像形成体
２        基材
３        可視画像
３ａ      第１の模様部
３ｂ      第１の背景部
４        第１の潜像画像
４ａ      第２の模様部
４ｂ      第２の背景部
５        第２の潜像画像
５ａ      第３の模様部
５ｂ      第３の背景部
６        第３の潜像画像
７        第１の要素  
７Ｌ      第１の側部
７Ｒ      第２の側部
７Ｔ      頂上部
８        第２の要素
９        第３の要素  
９ａ１    第１の画像要素
９ｂ１    第１の背景要素
９ａ２    第２の画像要素
９ｂ２    第２の背景要素
１０    底面  
１４    透過潜像部
１５    透過背景部
Ｘ１    第１の方向
【図１】
2014140985.tif 000003
【図２】
2014140985.tif 000004
【図３】
2014140985.tif 000005
【図４】
2014140985.tif 000006
【図５】
2014140985.tif 000007
【図６】
2014140985.tif 000008
【図７】
2014140985.tif 000009
【図８】
2014140985.tif 000010
【図９】
2014140985.tif 000011
【図１０】
2014140985.tif 000012
【図１１】
2014140985.tif 000013
【図１２】
2014140985.tif 000014
【図１３】
2014140985.tif 000015
【図１４】
2014140985.tif 000016
【図１５】
2014140985.tif 000017
【図１６】
2014140985.tif 000018
【図１７】
2014140985.tif 000019
【図１８】
2014140985.tif 000020
【図１９】
2014140985.tif 000021
【図２０】
2014140985.tif 000022
【図２１】
2014140985.tif 000023
【図２２】
2014140985.tif 000024